【手続補正書】
【提出日】平成27年2月5日(2015.2.5)
【手続補正１】
【補正対象書類名】特許請求の範囲
【補正対象項目名】全文
【補正方法】変更
【補正の内容】
【特許請求の範囲】
【請求項１】
炭化水素原料を水素化分解するための方法であって、以下のステップ： 
ヘテロ原子の除去および高分子量分子の低分子量炭化水素への水素化分解のための第１段リアクターの入口に原料を供給し、第１段リアクターエフルエントを製造し；その後 
該第１段のエフルエントをスチームストリッパーベッセルへ送り、水素、H2S、NH3、軽質ガス（C1-C4）、ナフサおよび軽油を分離し;
ストリッパー塔底液を該ストリッパーベッセルから第２段リアクターへ送り；
第２段リアクターからの水素化分解されたエフルエントストリームを、スチームストリッパーベッセルにおいて分離された水素、H2S、NH3、軽質ガス（C1-C4）、ナフサおよび軽油とを混合し、混合された生成物ストリームを形成し；、そして
該混合された生成物ストリームを、構成成分を予め決められた製品ストリームに分離するための分離段階へと送る、
を含んでなる方法。
【請求項２】
第１段リアクターからのエフルエントストリームが、スチームストリッパーベッセルを通る前に、熱交換水蒸気発生器を通る、請求項1に記載の方法。
【請求項３】
第１段リアクターからのエフルエントストリームが、気液分離ストリッパーベッセルを通り、塔底液および塔頂液を製造し、該塔底液をスチームストリッパーベッセルへ通過させる、請求項1に記載の方法。
【請求項４】
第１段の水素化分解触媒が、アモルファス系アルミナ触媒、アモルファス系シリカアルミナ触媒、ゼオライト系触媒、並びにアモルファス系アルミナ触媒、アモルファス系シリカアルミナ触媒およびゼオライト系触媒の少なくとも１つを含む組合せ、からなる群から選択される、請求項１記載の方法。
【請求項５】
第１段の水素化分解触媒が、さらに、Ni、W、Mo、Co、またはNi、W、MoおよびCoの少なくとも1つを含む組合せの活性相を含んでなる、請求項1に記載の方法。
【請求項６】
100〜200 kg/cm2の範囲内の水素分圧で10〜80体積％の沸点370℃超の炭化水素が、沸点範囲180℃〜375℃のメタン、エタン、プロパン、n-ブタン、イソブテン、硫化水素、アンモニア、ナフサ留分、沸点範囲180℃〜375℃の軽油留分からなる群から選択される１以上の軽質ガスおよび該軽質ガスの少なくとも１つを含む組合せに変換される、請求項１記載の方法。
【請求項７】
水素分圧が100〜150 kg/cm2の範囲である、請求項1に記載の方法。
【請求項８】
原料油のストリームが、水素化処理触媒1000m3に対し１時間当たり３００〜２０００ m3の範囲である、請求項１に記載の方法。
【請求項９】
リアクターが、固定床、沸騰床、スラリー床、またはそれらの組み合わせである、請求項１に記載の方法。
【請求項１０】
スチームストリッパーベッセルから取り出された水素、H2S、NH3、軽質ガス（C1-C4）、ナフサ、および軽油のエフルエントストリームの一部を、分離ベッセルに通して、水、ガスおよび液体に分離し、該分離ベッセルには中高硫黄（sour）軽油ストリームをさらに供給して該エフルエントストリームと混合し、該混合されたエフルエント／中高硫黄（sour）軽油ストリームを、軽油水素化処理ユニットに通して超低硫黄軽油を製造する、請求項１記載の方法。
【手続補正２】
【補正対象書類名】明細書
【補正対象項目名】全文
【補正方法】変更
【補正の内容】
【発明の詳細な説明】
【発明の名称】段間スチームストリッピングを伴う水素化分解法
【技術分野】
【０００１】
関連出願のクロスリファレンス
本願は、その内容が本明細書の一部を構成する米国仮出願第61/513,029号（出願日2011年7月29日）に基づく優先権を主張する。
【背景技術】
【０００２】
水素化分解法は周知であり、数多くの石油精製に用いられている。ナフサから非常に重質の原油残油留分にわたる様々な原料にこのような方法が用いられている。一般的に水素化分解法は、原料の分子を、より高い平均揮発度と経済的価値を有する、分子量の小さい（軽い）分子に分解する。また、水素化分解法は、通常、水素／炭素比の増大と硫黄と窒素の除去により、処理される材料の品質が改善する。この水素化分解法は経済的有用性が大きいことから、プロセスの改善やプロセスで使用するためのより良い触媒の開発に多大な努力が注がれている。
【０００３】
水素化分解装置のユニットは、反応と分離のための２つの主要なセクションで構成されており、その構成やタイプは様々である。ワンススルー型、またはシリーズフロー型、２段式ワンススルー型、２段式＆リサイクル型、１段式＆マイルド水素化分解など、数多くの既知のプロセス構成が知られている。原料の品質、製品仕様、処理目的や触媒などのパラメータが、反応部の構成を決める。
【０００４】
ワンススルー型では、２つのリアクターが使用される。原料は、第一のリアクターで水素化処理触媒を用いて精製され、エフルエントはアモルファス系またはゼオライト系の分解触媒を含む第二のリアクターに送られる。２段式では、原料は、第一のリアクターで水素化処理触媒にて精製され、エフルエントは分留塔に送られ、名目上の沸点範囲３６〜３７０℃のH2S、NH3、軽質ガス（C1-C4）、ナフサ及び軽油を分離する。沸点370℃超の炭化水素は、その後、第一のリアクターまたは第二のリアクターへリサイクルされる。
【０００５】
どちらの構成も、水素化分解装置ユニットからのエフルエントは蒸留塔に送られ、ナフサ、ジェット燃料／灯油、軽油および未変換物（それぞれの名目上の沸点範囲、36〜180℃、180〜240℃、240〜370℃、370℃超）に分留される。水素化分解による製品のジェット燃料／灯油（すなわち、煙点＞25mm）と軽油（すなわち、セタン価＞52）は、品質が高く世界規模の輸送用燃料の仕様を十分上回っている。
【０００６】
２段式の利点の1つは、中間蒸留物の収率が最大になるということである。一段目からの変換物は、２段目のリアクターで分留されるが、さらなるクラッキングは受けず、結果として高い中間蒸留収率が得られる。
【０００７】
従来技術の２段式（リサイクル有り）水素化分解装置ユニットの概略図を図１に示す。図に示される構成では、供給原料１１は、水素化処理触媒（通常、活性相としてNi、MoまたはNi、WまたはCo、Mo金属を含むアモルファス系触媒）により、第一リアクター１０で水素化される。第一リアクターからのエフルエントストリーム１２は、その後、分留塔２０に送られ、名目上の沸点が370℃までの、H2S、NH3、C1-C4ガス、ナフサ、および軽油留分を含む軽質留分２１が分離される。沸点370℃超の炭化水素留分２２は、Ni、NiまたはMo、W金属を含むアモルファス系および／またはゼオライト系触媒を含んでいる第二リアクター３０に送られる。第二リアクターからのエフルエントストリーム３１は、軽質の分解成分分離のため分留塔２０にリサイクルされる。
【０００８】
分離部の構成はリアクターエフルエントの組成に依存する。リアクターのエフルエントは、加熱式分離器あるいは冷却式分離器に送られる。後者の場合、リアクターエフルエントは、原料／エフルエント交換器を通過した後、高圧冷却分離器に送られる。未変換のリサイクルストリームの一部がブリードストリームとして分留塔２４の塔底から引き抜かれる。ガスは、圧縮後リアクターに戻されリサイクルされ、塔底液はさらなる分離のため低圧低温分離器に送られる。
【０００９】
加熱式の場合は、リアクターエフルエントが交換器を通過して高圧加熱分離器に送られ、ガスは、そこからリアクターへリサイクルされる。塔底液は、さらなる分離のため高圧冷却分離器および低圧低温分離器に送られる。
【００１０】
冷却式分離器を利用する水素化分解装置ユニットは、通常、ナフサから軽油までの軽質の原料を処理するために設計される。加熱式分離器を利用する水素化分解装置ユニットは、より重質の供給原料、減圧軽油や重質成分のために設計される。どちらにも長所と短所がある。供給原料／エフルエント熱交換器の表面積は、加熱式分離器を利用する方式ではかなり小さくなる。冷却式のように、すべてのエフルエントを40℃までの冷却する必要もストリッパーを予熱する必要もない。この熱効率のため、加熱式では原料の余熱に関して熱利得がもたらされ、これは冷却式での加熱炉が必要とする約３０〜４０％に相当する。加熱式の欠点は、リサイクルされるガスの純度が一般に、冷却方式で得られるものと比較して低いことであり、これにより高いリアクター入口圧力が生じることである。水素消費量も、より高い水素溶解度に起因して加熱式のほうが若干高い。
【００１１】
１段式のワンススルー水素化分解法は、従来の水素化分解法のマイルドな方式である。マイルドな水素化分解のための運転条件は、水素化処理よりも厳しいが従来の高圧水素化分解法ほど厳しくない。この方法は、よりコスト効率のよい水素化分解法であるが、製品の収率および品質は下がる。マイルドな水素化分解法は、従来の水素化分解法に比べて得られる中間留分が少なく品質も相対的に下がる。１つまたは複数の触媒系を用いることができ、その選択は処理する原料や製品の仕様に基づく。プロセスの要件に応じて、加熱処理法と冷却処理法のいずれも、マイルドな水素化分解に使用することができる。１段式水素化分解は最も単純な構成を使用し、これらの装置は、単一触媒系または二重触媒系を用いて中間蒸留物の収率が最大になるよう設計される。二重触媒系は、積層床の構成として、あるいは２つの直列に配置したリアクターにおいて用いられる。
【００１２】
１段式の水素化分解装置ユニットは、ワンススルーモード、あるいはリアクターへの未変換の供給原料のリサイクルを伴うリサイクルモードで運転することができる。水素化処理反応は、アモルファス系触媒が装着されている第一のリアクター内で起こる。水素化分解反応は、アモルファス系触媒またはゼオライト系触媒にて第二のリアクター内で起こる。シリーズフロー型では、水素化処理された生成物は、第二のリアクターに送られる。recycle-to-extinctionモードの運転では、第１段階のリアクターからのエフルエントを第２段階のエフルエントと共に、分離のための分留塔に送り、H2SおよびNH3を含まない未変換の塔底液は第２段階に送られる。２段式にはバリエーションもある。
【００１３】
スチームストリッピングを使用してC1-C4ガスやH2SおよびNH3などの軽質成分を分離することが従来技術において知られている。米国特許第6042716号は、深度脱硫および深度脱窒のためガス油と水素を触媒の存在下で反応させる方法が開示されている。エフルエントは、スチームストリッピングにより気相を分離し、液相は、触媒の存在下で水素との反応により脱芳香族化される。記載する実施例では、ガス油が184〜394℃の範囲で沸騰し、スチームストリッピングを用いて液相から気相を分離する。スチームストリッピングは一般に、炭化水素ガスのメタン、エタン、プロパン、ブタンや、H2SおよびNH3のようなヘテロ原子含有ガスを除去するための精製操作に使用される。
【００１４】
米国特許第5164070号では、水蒸気は、軽質ガス及びナフサを除去するために使用される。しかし、カットポイントはナフサであり、その終沸点は180℃である。記載されているプロセスでは、水蒸気を好ましくはライン７を通ってストリッピングカラムの底部に送り、流入液からより軽質の炭化水素やより揮発性の物質のストリッピングを行う。あるいは、所望の程度のストリッピングを達成するまたはそれを補助するために、ストリッピングカラムの底部にリボイラーを設けてもよい。ストリッピングカラムは流入液のストリームからナフサ沸点の炭化水素の大部分を除去し、また、本質的に全ての低沸点炭化水素を除去することを意図している。残留する重質炭化水素は、ストリッピング塔の正味の塔底ストリームとしてライン８を通って排出される。
【００１５】
米国特許第5447621号は、水蒸気を用いて揮発性成分を除去する（この特許において原料である軽油等の重質留分は除去されない）、中間蒸留物のアップグレード法を開示している。
【００１６】
米国特許第5453177号および米国特許第6436279号に開示されている方法は、軽質留分の成分を除去するためにスチームストリッピングを利用する。
【００１７】
米国特許第7128828号は、オーバーヘッド減圧スチームストリッパーを使用して低沸点の非ワックス状の留出物である炭化水素を除去する方法が開示されている。
【００１８】
米国特許第7279090号は、沸点523℃の減圧残油原料の溶剤脱れき（deasphalting）と沸騰床残渣変換を統合したプロセスにおいて、スチームストリッピングを用いて沸点範囲36〜523℃の炭化水素留分を分離し、より高いスチームストリッピングを用いて、沸点523℃以下の他の留分から残留物を分離する。
【００１９】
数多くの文献に、全体の水素化分解装置ユニット内に複数の水素化分解ゾーンを使用することが開示されている。「水素化分解ゾーン」なる語は、多くの場合、幾つかの独立したリアクターを含む水素化分解ユニットとして、ここで用いられる。水素化分解ゾーンは、２以上のリアクターを含んでもよい。例えば、米国特許第3240694号には、供給ストリームを分留塔に供給し軽質留分と重質留分に分割する水素化分解プロセスが示されている。軽質留分は水素化処理ゾーンを通った後、第一の水素化分解ゾーンに入る。重質留分は、第二の別の水素化分解ゾーンを通り、この水素化分解ゾーンのエフルエントが、別の分留ゾーンにおいて分留されて軽質物留分、即ち中間留分、を得、これは第一の水素化分解ゾーンを通り、塔底液のフラクションは第二の水素化分解ゾーンへリサイクルされる。
【００２０】
米国特許第4950384号（発明の名称「炭化水素原料の水素化分解のためのプロセス」）は、フラッシュベッセルを用いて、第１段リアクターのエフルエントを分離する。炭化水素原料は、第一の水素化分解触媒と水素の存在下に高温高圧で第一反応ステージで原料を接触させることにより水素化分解して第一のエフルエントを得、第一反応ステージと実質的に同じ温度と圧力にて第一のエフルエントから気相と液相とを分離し、第二反応ステージにおいて、水素と第二の水素化分解触媒の存在下、高温高圧で第一エフルエントの液相を接触させて第二のエフルエントを得、前記気相と第二のエフルエントの混合物から分留によって少なくとも一つの留分と残留画分を得、残留画分の少なくとも一部を反応ステージにリサイクルする。
【００２１】
米国特許第6270654号には、沸騰床リアクター間にフラッシングによる段間分離を設けた多段沸騰床リアクターを利用する触媒水素化プロセスが記載されている。このプロセスは、沸点520℃超の残留原料油に対してのみ行われる。
【００２２】
米国特許第6454932号には、分離工程と、沸騰床リアクター間の水素によるストリッピングとを利用する、段間ストリッピングと分離を伴う多段沸騰床水素化分解について記載されている。このプロセスは、沸点650℃以上の原料に対して行われ、減圧蒸留物および残留物の両方に対して使用される。
【００２３】
米国特許第6620311号には、沸騰床水素化転化工程、分離工程、水素化脱硫工程、およびスチームストリッパーを利用する分解工程を含む、石油留分の変換方法が開示されている。
【００２４】
米国特許第4828676号および米国特許第4828675号は、硫黄含有原料を水素化し、ストリッピングし、および第２段階で水素と反応させる方法が開示されている。スチームストリッピングはH2Sの除去（ナフサおよび軽油ではない）に用いられる（col. 10, l. 11; col. 11, l. 7-10; col. 25, l. 18-22）。
【００２５】
Gupta の米国特許第6632350号および米国特許第6632622は、同じベッセル内で第１段階のエフルエントのストリッピングを伴う２段式ベッセルを開示している。Guptaの米国特許第6103104号および同第5705052号は、別のストリッパーベッセル内で第１段のエフルエントのストリッピングを伴う２段式ベッセルを開示している。Guptaの特許に開示されている方法はまた、スチームストリッピングにより液体中の溶存ガスを除去する。
【００２６】
米国特許第7279090号は、スチームストリッピングを用いて、沸点36〜523℃の、ナフサ、軽油およびVGO画分に分離する。但し、この特許は、沸点523℃以上の減圧残油原料を処理する統合プロセスを特許請求の範囲としている。
【発明の概要】
【発明が解決しようとする課題】
【００２７】
本発明は、炭化水素原料を水素化分解するための方法である。
【課題を解決するための手段】
【００２８】
供給原料は、ヘテロ原子の除去および高分子量分子の低分子量炭化水素への水素化分解のための第１段リアクターの入口に供給される。第１段リアクターの出口からのエフルエントストリームは、スチームストリッパーベッセルに送られ、水素、H2S、NH3、軽質ガス（C1-C4）、ナフサ、および軽油が取り出される。ストリッパーの塔底液は、水素、H2S、NH3、軽質ガス（C1-C4）、ナフサおよび軽油産物とは別にストリッパーベッセルから取り出され、第２段リアクターの入口に供給される。第２段リアクターの出口からのエフルエントストリームは、スチームストリッパーベッセルから取り出された水素、H2S、NH3、軽質ガス（C1-C4）、ナフサおよび軽油のエフルエントストリームと共に、石油留分を分離するための分離段階へ供給される。
【００２９】
好ましくは、第１段リアクターからのエフルエントストリームは、スチームストリッパーベッセルに供給される前に水蒸気発生器を通る。
【００３０】
あるいは、第１段リアクターからのエフルエントストリームは、スチームストリッパーベッセルに供給される前に気液分離ストリッパーベッセルを通る。
【００３１】
本発明は、ワンススルー型を２段式に変換することにより、特に、既存の装置に対して、水素化分解法の操作を改善する。提案した構成または改善は、所望の中間留分の収率をより高くし、望ましくない軽質ガスC1-C4及びナフサをより少なくして水素化分解装置の処理能力を改善し、既存のプロセスと比較して触媒の寿命を延長する。
【００３２】
水素化分解装置ユニットの１段目と２段目の間にスチームストリッピング工程を入れることで、プロセスの処理能力と収率が実質的に改善される。
【００３３】
従って、フラッシュまたは蒸留ユニットを利用する公知の従来技術のシステムとは対照的に、本発明は、水素化分解装置ユニットの段間でスチームストリッピングを利用する。
【００３４】
本発明によるスチームストリッピングの使用は、水素化分解の第１段エフルエントの効率的な分離のためのシンプルな解決手段であり、第二のリアクター容積を効果的に利用する。いくつかの利点が挙げられる：ナフサのような軽質分解産物の分解が最小限になり、中間留分収率はより高く、ナフサやC1-C4ガスの産生はより少なくなり、H2S 除去によりその毒性の影響が排除され、第２段リアクターにおいて高い触媒活性が維持される。また、スチームストリッピングは、発生した軽質ガスをすべて除去するために適用される。
【００３５】
スチームストリッパーは、減圧軽油の沸点範囲が375〜565℃である場合、２段階の水素化分解ステージの間に沸点375℃以下の留分を分離する。このスチームストリッピング処理の工程は、フラッシュ分離よりも効率的であり、蒸気発生器を容易に取り付けることができる既存の水素化分解ユニットの構成に組み込むことができる。
【００３６】
添付の図面を参照して本発明をさらに詳細に説明する。図面中、同一のおよび同様の構成要素は同一の番号で表す。
【図面の簡単な説明】
【００３７】
【図１】従来技術の慣用的な２段式水素化分解ユニットの概略図である。
【図２】本発明の実施形態の概略図である。
【図３】本発明の別の実施形態の概略図である。
【図４】本発明のさらなる実施形態の概略図である。
【発明を実施するための最良の形態】
【００３８】
図２を参照すると、炭化水素原料のストリーム１１および水素のストリーム１２は、硫黄、窒素および微量のNi、V、Feなどの金属を含むヘテロ原子の除去のための第１段リアクター１０に供給され、高分子量、高沸点分子が、５〜６０W％の範囲で低分子量、低沸点の炭化水素へ分解される。
【００３９】
エフルエントストリーム１３はスチーム発生熱交換器２０に送られ、反応生成物は冷却され、水２１から水蒸気２２が発生する。水蒸気発生器から冷却産物２３がスチームストリッパーベッセル３０に送られ、名目上の沸点範囲３６〜３７０℃の、水素、H2S、NH3、軽質ガス（C1-C4）、ナフサ及び軽油産物が取り出される。スチームストリッパーには、水蒸気発生器２０から水蒸気２２が供給される。
【００４０】
軽質ガス、H2S、NH3及び軽質留分のストリーム３１を含まない、ストリッパー塔底液３２は、水素ストリーム３３と混合されて、水素化分解ユニットベッセル４０の第２段階に送られる。第２段のエフルエントストリーム４１は、軽質のストリッパー産物３１と混合され、結合ストリーム４２は、分留塔ベッセル５０を含むいくつかの分離および洗浄ベッセルに送られて最終の水素化分解ガスと液体産物が得られる。
【００４１】
水素化分解産物には、H2S、NH3、軽質ガス（C1-C4）を含むストリーム５１、沸点範囲C5-180℃のナフサストリーム５２、沸点範囲１８０〜２４０℃のケロシンストリーム５３、沸点範囲２４０〜３７０℃の軽油ストリーム５４、および沸点３７０℃超の未変換の炭化水素画分のストリーム５５が含まれる。
【００４２】
図３の実施形態を参照すると、炭化水素原料ストリーム１１および水素ストリーム１２が、硫黄、窒素および微量のNi、V、Feなどの金属を含むヘテロ原子の除去のための第１段リアクター１０に供給され、高分子量、高沸点分子が、５〜６０W％の範囲で低分子量、低沸点の炭化水素へ分解される。エフルエントストリーム１３はスチーム発生熱交換器２０に送られ、反応生成物は冷却され、水２１から水蒸気２２が発生する。水蒸気発生器から冷却産物２３が気液分離ストリッパーベッセル３０に送られ、水素、H2S、NH3、およびC1-C4炭化水素を含む軽質ガスが除去され、エフルエント３１として排出される。
【００４３】
気液分離器の塔底液３２はスチームストリッパーベッセル４０に送られ、名目上の沸点範囲３６〜３７０℃のナフサおよび軽油産物が取り出される。スチームストリッパーには、水蒸気発生器２０で発生した水蒸気２２が供給される。軽質ガス、H2S、NH3及び軽質留分を含まないストリッパー塔底液４２は、水素ストリーム４３と混合され、第２段水素化分解ユニットベッセル５０に送られる。
【００４４】
次いで、第２段エフルエントストリーム５１は、軽質ストリッパー産物４１と混合され、混合ストリーム５２は、分留塔ベッセル６０を含むいくつかの分離および洗浄ベッセルに送られて最終の水素化分解ガスと液体産物が得られる。水素化分解産物には、H2S、NH3、軽質ガス（C1〜C4）を含むストリーム６１、沸点範囲３６〜１８０℃のナフサストリーム６２、ケロシンストリーム６３、沸点範囲１８０〜３７０℃の軽油ストリーム６４、および沸点３７０℃超の未変換の炭化水素画分のストリーム６５が含まれる。
【００４５】
図４に示す実施形態は、図２の実施形態と同様の処理を実行するユニット操作を含む。但し、図４の実施形態は、さらに軽油ストリームを水素化処理するための軽油水素化処理器と水のリサイクルストリームを含む。図４に示すように、ストリッパー塔頂ストリーム３１の一部は、水蒸気発生器を経由して、水、ガスおよび液体を分離するための分離ベッセル６０へ送られる。水の一部が取り出され、水蒸気発生器２０へと戻され、その後ストリッパーユニット３０に送られる。
【００４６】
精油所からの中高硫黄（sour）軽油ストリームがベッセル６０へ供給され、塔頂ストリームと混合されて、超低硫黄軽油生産のための軽油水素化処理装置７０に送られる。水素化処理装置７０からの残留水はストリッパーユニット３０にリサイクルされ、一方、超低硫黄（sweet）軽油（「ULSD」）は、水素化処理装置から市場用に回収される。
【実施例】
【００４７】
１５V％の脱金属油（DMO）および８５V％の減圧軽油（VGO）（６４％が重質減圧軽油で２１％が軽質減圧軽油）を含む原料ブレンド（特性を表1に示す）を、水素分圧115 kg/cm2、毎時原料800m3 / 1000 m3触媒、水素／油比：1265リットルおよび温度370〜385℃にて、Ni, W, Mo金属で促進されたアモルファスおよびゼオライト担体を含む触媒系上で水素化分解に付した。
【表１】
2014527100.tif 000001
【００４８】
生成物の収率を表２に示す。第１段エフルエントのスチームストリッピングは、中間蒸留物の収率を約５W%改善し、ナフサおよび軽質ガスの生成率をそれぞれ約5W％および0.5W％減少させた。
【表２】
2014527100.tif 000002
【００４９】
本発明は、スチームストリッパーを利用してH2S、NH3、軽質ガス（C1-C4）、ナフサおよび名目上の沸点範囲３６〜３７０℃の軽油を第１段エフルエントから除去することにより、２段水素化分解装置ユニットの構成をシミュレートする。スチームストリッピングによって得られた生成物は、H2SとNH3およびNH3を含まず未変換の炭化水素を含有し、有毒なH2SやNH3が存在しないため触媒に高い活性がもたらされ、また、軽質生成物がさらなる分解を受けないためより高い中間蒸留選択性が得られる。
【００５０】
本発明を、いくつかの実施形態で詳細に説明し、図面に示したが、他の修飾は、明細書の記載および以下の特許請求の範囲によって決定される本発明の範囲から当業者には明かであろう。
本発明の好ましい態様は、以下を包含する。
［１］炭化水素原料を水素化分解するための方法であって、以下のステップ： 
ヘテロ原子の除去および高分子量分子の低分子量炭化水素への水素化分解のための第１段リアクターの入口に原料を供給し、第１段リアクターストリームを製造し；その後 
該第１段のエフルエントをスチームストリッパーベッセルへ送り、水素、H2S、NH3、軽質ガス（C1-C4）、ナフサおよび軽油を分離し;
ストリッパー塔底液を該ストリッパーベッセルから第２段リアクターへ送り；
第２段リアクターからの水素化分解されたエフルエントストリームを、水素、H2S、NH3、軽質ガス（C1-C4）、ナフサおよび軽油とを混合し、混合された生成物ストリームを形成し、そして
該混合された生成物ストリームを、構成成分を予め決められた製品ストリームに分離するための分離段階へと送る、
を含んでなる方法。
［２］第１段リアクターからのエフルエントストリームが、スチームストリッパーベッセルを通る前に、熱交換水蒸気発生器を通る、請求項1に記載の方法。
［３］第１段リアクターからのエフルエントストリームが、スチームストリッパーベッセルを通る前に、気液分離ストリッパーベッセルを通る、請求項1に記載の方法。
［４］第１段の水素化分解触媒が、アモルファス系アルミナ触媒、アモルファス系シリカアルミナ触媒、ゼオライト系触媒、並びにアモルファス系アルミナ触媒、アモルファス系シリカアルミナ触媒およびゼオライト系触媒の少なくとも１つを含む組合せ、からなる群から選択される、請求項１記載の方法。
［５］第１段の水素化分解触媒が、さらに、Ni、W、Mo、Co、またはNi、W、MoおよびCoの少なくとも1つを含む組合せの活性相を含んでなる、請求項1に記載の方法。
［６］100〜200 kg/cm2の範囲内の水素分圧で10〜80体積％の沸点370℃超の炭化水素が、沸点範囲180℃〜375℃のエタン、プロパン、n-ブタン、イソブテン、硫化水素、アンモニア、ナフサ留分、沸点範囲180℃〜375℃の軽油留分からなる群から選択される１以上の軽質ガスおよび該軽質ガスの少なくとも１つを含む組合せに変換される、請求項１記載の方法。
［７］水素分圧が100〜150 kg/cm2の範囲である、請求項1に記載の方法。
［８］原料油のストリームが、水素化処理触媒1000m3に対し１時間当たり３００〜２０００ m3の範囲である、請求項１に記載の方法。
［９］リアクターが、固定床、沸騰床、スラリー床、またはそれらの組み合わせである、請求項１に記載の方法。
［１０］スチームストリッパーベッセルから取り出された水素、H2S、NH3、軽質ガス（C1-C4）、ナフサ、および軽油のエフルエントストリームの一部を、分離ベッセルに通して、水、ガスおよび液体に分離し、該分離ベッセルには中高硫黄（sour）軽油ストリームをさらに供給して該エフルエントストリームと混合し、該混合されたエフルエント／中高硫黄（sour）軽油ストリームを、軽油水素化処理ユニットに通して超低硫黄軽油を製造する、請求項１記載の方法。